(57)【要約】【課題】ハブ部やナセル部の内部での液体漏れや液体浸入等を検知することにより、風車の損傷や風力発電設備周辺の環境汚染を防止できる風車を提供する。【解決手段】風車１は、ブレード５を有するハブ部２と、ブレード５に連結する主軸９及び主軸９に接続する発電機１２を有するナセル部と、を備えた風力発電に用いられる風車１であって、ハブ部２又はナセル部の内部に、光ファイバ２１からなる検出素子を有する光学式液体検知器２０が配置される。【選択図】図２
2014037824.tif 000002
【特許請求の範囲】
【請求項１】
ブレードを有するハブ部と、前記ブレードに連結する主軸及び前記主軸に接続する発電機を有するナセル部と、を備えた風力発電に用いられる風車であって、
前記ハブ部又は前記ナセル部の内部に、光ファイバからなる検出素子を有する光学式液体検知器が配置される風車。
【請求項２】
前記光学式液体検知器は、前記検出素子に付着した液体の反射率を検出して前記液体の種類を特定する請求項１に記載の風車。
【請求項３】
前記ハブ部は、前記ブレードを伸び出させるブレード用開口部を有し、
前記ブレードは、油圧装置によってピッチ角度が可変であり、
前記検出素子は、前記ブレード用開口部の周縁部に配置される請求項１又は２に記載の風車。
【請求項４】
前記ハブ部にノーズキャップが着脱可能に取り付けられ、
前記ハブ部は、前記ノーズキャップの取り付けるノーズキャップ用開口部を有し、
前記検出素子は、前記ノーズキャップ用開口部の周縁部に配置される請求項１から３のうちいずれか一項に記載の風車。
【請求項５】
前記ブレード用開口部の周縁部及び前記ノーズキャップ用開口部の周縁部には、その周方向に沿って液体吸着パッドが設けられ、
前記検出素子は、前記液体吸着パッドに添って設けられる請求項３又は４に記載の風車。
【請求項６】
前記検出素子は、液体吸着シートが巻き付けられる請求項１から４のうちいずれか一項に記載の風車。
【発明の詳細な説明】
【技術分野】
【０００１】
本発明は、風力発電に用いられる風車に関する。
【背景技術】
【０００２】
地球環境への負荷を軽減するため、化石燃料に依存しない、クリーンエネルギーを利用した発電装置が注目されている。発電装置の一つとして、風力発電装置が知られている。
風力発電装置は、ブレード（回転翼）が風力を受けてハブ部を回転させる。そして、ハブ部の回転エネルギーをナセル部に収容された発電機で電気エネルギーに変換（発電）する。
【０００３】
ブレードは、主軸を介してギアボックスに連結される。ギアボックスでブレード（主軸）の回転力が増速された後、発電機に伝えられて、電気エネルギーに変換される。
ギアボックスには潤滑油が供給される。この潤滑油の漏れを検知するために、油検知器が設置される。油検知器には、光ファイバを検出素子とする光学式油検知器が用いられる。
【先行技術文献】
【特許文献】
【０００４】
【特許文献１】特許第４００８９１０号公報
【発明の概要】
【発明が解決しようとする課題】
【０００５】
風力発電装置における風車では、一般にプロペラ型の回転翼（ブレード）が用いられる。プロペラ型の回転翼は、通常は３枚ブレードからなる。３枚ブレードは、風の状況に応じて、所定の回転速度と出力とが得られるように、ピッチ角度が可変である。
ブレードのピッチ角度を制御する駆動部は、例えば油圧シリンダ等の油圧装置を備える。したがって、ブレードを有するハブ部の内部でも油漏れの懸念がある。ハブ部の内部で油漏れが発生すると、外部に油が漏れ出て、風力発電設備周辺の環境を損なうおそれがある。
【０００６】
風車は、野外に設置されるため、ハブ部やナセル部の内部に雨水等が浸入する場合がある。ナセル部の内部において不凍液等の液体が漏洩する場合もある。こられの液体がハブ部やナセル部の内部に存在すると、風車に損傷を与えるおそれがある。
【０００７】
本発明は、ハブ部やナセル部の内部での液体漏れや液体浸入等を検知することにより、風車の損傷や風力発電設備周辺の環境汚染を防止できる風車を提供することを目的とする。
【課題を解決するための手段】
【０００８】
本発明に係る風車の第一実施態様は、ブレードを有するハブ部と、前記ブレードに連結する主軸及び前記主軸に接続する発電機を有するナセル部と、を備えた風力発電に用いられる風車であって、前記ハブ部又は前記ナセル部の内部に、光ファイバからなる検出素子を有する光学式液体検知器が配置される。
【０００９】
本発明に係る風車の第二実施態様は、第一実施態様において、前記光学式液体検知器は、前記検出素子に付着した液体の反射率を検出して前記液体の種類を特定する。
【００１０】
本発明に係る風車の第三実施態様は、第一又は第二実施態様において、前記ハブ部は、前記ブレードを伸び出させるブレード用開口部を有し、前記ブレードは、油圧装置によってピッチ角度が可変であり、前記検出素子は、前記ブレード用開口部の周縁部に配置される。
【００１１】
本発明に係る風車の第四実施態様は、第一から第三実施態様のいずれかにおいて、前記ハブ部にノーズキャップが着脱可能に取り付けられ、前記ハブ部は、前記ノーズキャップの取り付けるノーズキャップ用開口部を有し、前記検出素子は、前記ノーズキャップ用開口部の周縁部に配置される。
【００１２】
本発明に係る風車の第五実施態様は、第三又は第四実施態様において、前記ブレード用開口部の周縁部及び前記ノーズキャップ用開口部の周縁部には、その周方向に沿って液体吸着パッドが設けられ、前記検出素子は、前記液体吸着パッドに添って設けられる。
【００１３】
本発明に係る風車の第六実施態様は、第一から第四実施態様のいずれかにおいて、前記検出素子は、液体吸着シートが巻き付けられる。
【発明の効果】
【００１４】
本発明の風車によれば、ハブ部やナセル部の内部での液体漏れや液体浸入等を検知することができるので、風車の損傷や風力発電設備周辺の環境汚染を防止できる。
【図面の簡単な説明】
【００１５】
【図１】本発明の実施形態に係る風車を模式的に示す部分断面図である。
【図２】風車の要部を模式的に示す部分断面図である。
【図３】光学式液体検知器の概略構成を示す斜視図である。
【図４】光学式液体検知器の概略構成を示す側断面図である。
【図５】ブレード用開口部に配置された光ファイバを示す図である。
【図６】ノーズキャップ用開口部に配置された光ファイバを示す図である。
【図７】光学式液体検知器の他の形態を示す斜視図である。
【発明を実施するための形態】
【００１６】
本発明の風車を、図面を参照しつつ詳しく説明する。各図面においては、各部材を認識可能な大きさとするため、各部材の縮尺を適宜変更している。
【００１７】
図１は、本発明の実施形態に係る風車１を模式的に示す部分断面図である。図２は、風車１の要部を模式的に示す部分断面図である。
風車１は、風力発電装置に用いられる。風車１は、ハブ部２と、このハブ部２を回転可能に保持するナセル部３と、このナセル部３を頂部にて支持するタワー４と、を備える。
【００１８】
ハブ部２は、３枚のブレード５を備える。図２に示すように、ハブ部２の側周部に、三つのブレード用開口部６が形成される。三つのブレード用開口部６から、それぞれブレード５が外に延出する。
ブレード５は、風の状況に応じて所定の回転速度と出力とが得られるように、そのピッチ角度が可変である。ハブ部２の内部に配置された油圧装置（図示せず）により、ブレード５のピッチ角度が調節される。油圧装置は、油圧シリンダ等を用いた公知の油圧装置である。
【００１９】
ハブ部２の先端部には、ノーズキャップ７が着脱可能に取り付けられる。ノーズキャップ７は、例えばハブ部２の先端部内のメンテナンスなどの際に開けられる。
ハブ部２の先端部には、ノーズキャップ用開口部８が形成される。各種器具や作業員は、ノーズキャップ用開口部８からハブ部２に出入りできる。
ノーズキャップ用開口部８やブレード用開口部６の周縁部には、後述する光学式液体検知器２０が有する光ファイバ２１が配置される。
【００２０】
ナセル部３は、ブレード５に連結する主軸９を内部に収容する。ナセル部３は、主軸９を介してハブ部２を回転可能に保持する。
主軸９には、増速機１０が接続される。増速機１０には、動力伝達軸（図示せず）を介してブレーキ装置１１、発電機１２が接続される。
ナセル部３の底部にも、後述する光学式液体検知器２０が有する光ファイバ２１が配置される。
【００２１】
風車１は、ブレード５が風を受けるとハブ部２が回転する。ハブ部２の回転が主軸９を介して増速機１０に伝わって高速回転に変換される。この高速回転力が動力伝達軸を介して発電機１２に伝達される。発電機１２は、この高速回転力を電気エネルギーに変換して発電を行なう。
【００２２】
タワー４は、その内部に、制御装置（図示せず）や変圧器（図示せず）などを有する。タワー４は、その周辺に設けられた風力発電設備１３にケーブル（図示せず）を介して電気的に接続される。風力発電設備１３は、各種監視装置や保護装置、制御装置を備える。
【００２３】
ハブ部２の内部には、ブレード５のピッチ角度を調節する油圧装置が設けられる。このため、ハブ部２の内部では、油圧装置からの油漏れのおそれがある。また、ノーズキャップ用開口部８やブレード用開口部６から、雨水等がハブ部２の内部に浸入するおそれがある。
このため、ハブ部２の内部に光学式液体検知器２０が設置される。
【００２４】
ナセル部３の内部には、増速機１０、ブレーキ装置１１、発電機１２等が設けられる。このため、ナセル部３の内部では、増速機１０等からの油漏れのおそれがある。また、不凍液等の液体漏れのおそれもある。さらに、雨水等がナセル部３２の内部に浸入するおそれがある。
このため、ナセル部３の内部に光学式液体検知器２０が設置される。
【００２５】
ハブ部２の内部には、光学式液体検知器２０が複数台（例えば４台）設けられる。ナセル部３の内部には、光学式液体検知器２０が複数台設けられる。これら光学式液体検知器２０は同一構成である。
【００２６】
図３は、光学式液体検知器２０の概略構成を示す斜視図である。図４は、光学式液体検知器２０の概略構成を示す側断面図である。
光学式液体検知器２０は、高感度型無水防爆センサであり、検出素子である光ファイバ２１を有する。光ファイバ２１は、ハブ部２やナセル部３の壁面や底面に対して、接着テープや保持バンド、保持金具等によって固定される。
光学式液体検知器２０は、ハブ部２やナセル部３の壁面や底面に対して、ボルト等によって固定される。
【００２７】
光学式液体検知器２０は、光ファイバ２１と、この光ファイバ２１の一端側に設けられた発光素子２２、及び他端側に設けられた受光素子２３とを有する。光学式液体検知器２０は、さらにケーシング３１、蓋体３２、ファイバコネクタ３３、３４、ケーブルコネクタ３５、信号ケーブル３６、回路基板３７及び保護カバー３８を有する。
【００２８】
ケーシング３１は、上端にフランジ３１ａを有し、下端に底部３１ｂを有する有底円筒形状の樹脂製筐体である。ケーシング３１は、その内部に発光素子２２、受光素子２３及び回路基板３７を収容する。
蓋体３２は、ケーシング３１のフランジ３１ａと同一の径を有する円板形状部材である。
蓋体３２は、Ｏリング（図示せず）を挟んだ状態で、フランジ３１ａにボルト締めされる。
【００２９】
ファイバコネクタ３３は、光ファイバ２１の一端を蓋体３２の上面に機械的に接続する。また、ファイバコネクタ３３は、ケーシング３１の内部に収容された発光素子２２から出射される光を光ファイバ２１の一端に導入する。
ファイバコネクタ３４は、光ファイバ２１の他端を蓋体３２の上面に機械的に接続する。また、ファイバコネクタ３４は、光ファイバ２１の他端から出射された光をケーシング３１内に収容された受光素子２３に導入する。
【００３０】
ケーブルコネクタ３５は、信号ケーブル３６の一端を蓋体３２の上面に機械的に接続する。また、ケーブルコネクタ３５は、ケーシング３１に収容された回路基板３７と信号ケーブル３６とを電気的に接続する。
信号ケーブル３６は、一端がケーブルコネクタ３５を介して回路基板３７に接続され、他端がナセル部３を通ってタワー４に設けられた制御装置あるいは風力発電設備１３に設けられた制御装置に接続される。信号ケーブル３６は、これら制御装置から出力される電気信号を回路基板３７へ伝達する。また、信号ケーブル３６は、回路基板３７から出力される電気信号を制御装置へ伝達する。
【００３１】
回路基板３７は、信号ケーブル３６を介して制御装置に接続される。回路基板３７の上面には発光素子２２及び受光素子２３が配置される。回路基板３７は、発光素子２２に電力を供給する電源回路や、受光素子２３の出力を増幅する増幅回路などを有する。
発光素子２２は、回路基板３７を介して制御装置から入力される電気信号に応じた光を発生する。受光素子２３は、光ファイバ２１の他端から出射される光に応じた電気信号を、回路基板３７を介して制御装置に出力する。
保護カバー３８は、ファイバコネクタ３３、３４及びケーブルコネクタ３５を覆うように蓋体３２の上面に設置されて、各コネクタ類を保護する。
【００３２】
光ファイバ２１は、一端がファイバコネクタ３３に接続され、他端がファイバコネクタ３４に接続される。
光ファイバ２１は、石英ガラスからなるコアとフッ化アクリレートＵＶ樹脂からなるクラッドとを有するファイバ素線を複数本（例えば７本）備える。複数本のファイバ素線は、抗張力線の周囲に配して、スリット入りの樹脂チューブの内部に収容される。
光ファイバ２１は、ケーシング３１の外側の所定位置に配置される。
【００３３】
図５は、ブレード用開口部６に配置された光ファイバ２１を示す図である。
ハブ部２の内部に配置された４台の光学式液体検知器２０のうちの３台は、それぞれの光ファイバ２１がブレード用開口部６に配置される。
ハブ部２のブレード用開口部６の周縁部には、その周方向に沿って液体吸着パッド１４が周回して配置される。
この液体吸着パッド１４に添って光ファイバ２１が配置される。光ファイバ２１は、例えば液体吸着パッド１４の上面又は外周側に添わされる。光ファイバ２１は、液体吸着パッド１４に対して接着テープや保持バンド、保持金具等によって固定される。
液体吸着パッドは、例えばポリプロピレン不織布などによって形成される。
【００３４】
図６は、ノーズキャップ用開口部８に配置された光ファイバ２１を示す図である。
ハブ部２の内部に配置された４台の光学式液体検知器２０のうちの残りの１台は、光ファイバ２１がノーズキャップ用開口部８に配置される。
ハブ部２のノーズキャップ用開口部８の周縁部には、その周方向に沿って液体吸着パッド１４が周回して配置される。
この液体吸着パッド１４に添って光ファイバ２１が配置される。光ファイバ２１は、例えば液体吸着パッド１４の上面又は外周側に添わされる。光ファイバ２１は、液体吸着パッド１４に対して接着テープや保持バンド、保持金具等によって固定される。
液体吸着パッドは、例えばポリプロピレン不織布などによって形成される。
【００３５】
ナセル部３の内部に配置された複数の光学式液体検知器２０は、それぞれの光ファイバ２１がナセル部３の底面等に配置される。ナセル部３の底面等には、液体吸着パッド１４が配置される。光ファイバ２１は、液体吸着パッド１４に対して接着テープや保持バンド、保持金具等によって固定される。液体吸着パッドは、例えばポリプロピレン不織布などによって形成される。
【００３６】
光学式液体検知器２０では、検出素子である光ファイバ２１の表面に油や雨水、不凍液などの液体が付着すると光漏洩量が増大して、光ファイバ２１の光伝送損失が増大する。光学式液体検知器２０は、このような性質を利用することにより、液体漏れや雨水等浸入を検知できる。
【００３７】
ハブ部２の内部において、ブレード５のピッチ角度を可変にする油圧装置から油漏れが発生したり、ピッチ角度を変化させる可動部の潤滑油が流れ出た場合には、これら油の一部は、ハブ部２の回転に伴う遠心力などによってブレード用開口部６やノーズキャップ用開口部８に流れていく。ブレード用開口部６やノーズキャップ用開口部８に流れた油は、これらブレード用開口部６、ノーズキャップ用開口部８の周縁部に設けられた液体吸着パッド１４に吸着される。
【００３８】
液体吸着パッド１４には、光ファイバ２１が配置されているので、ブレード用開口部６やノーズキャップ用開口部８に流れた油は光ファイバ２１に直接付着する。または、油は、一旦液体吸着パッド１４に吸着した後、その一部が光ファイバ２１に付着する。
これにより、光学式液体検知器２０では、光ファイバ２１の表面に油が付着することで光漏洩量が増大する。光学式液体検知器２０は、その光伝送損失が増大することにより油漏れを検知する。
【００３９】
このようにして油漏れを検知すると、光学式液体検知器２０は、信号ケーブルを介して制御装置に油漏れの発生を出力する。したがって、この制御装置から油漏れの発生を受信したオペレーターは、例えば風車の駆動を停止するなどの処置を行う。
あるいは、制御装置は油漏れの発生を受信すると、予め設定されたプログラムに従い、自動的に風車の駆動を停止するとともに、風力発電設備１３の監視装置に油漏れの発生を出力する。
【００４０】
油や雨水等の液体の屈折率はそれぞれ異なる。例えば、不凍液は、その濃度によっても屈折率が異なる。このため、光ファイバ２１に付着した液体の種類や濃度に応じて、光ファイバ２１からの光漏洩量が変化する。
したがって、光学式液体検知器２０は、光ファイバ２１の光伝送損失に基づいて、光ファイバ２１に付着した液体の種類や濃度を検出（液体識別）できる。
光学式液体検知器２０による液体識別には、特開２０１２−３７４５３号公報に記載された技術が用いられる。
【００４１】
光学式液体検知器２０は、光ファイバ２１に付着した液体の種類や濃度の情報を制御装置に出力する。制御装置は、光ファイバ２１に付着した液体の種類や濃度に応じて、各種アラーム等を出したり、自動的に風車の駆動を停止したりする。
【００４２】
ナセル部３の内部において、油や不凍液等の液体漏れが発生したり、雨水等の浸入が発生したりした場合には、これら液体の一部は、ナセル部３の底面等に流れていく。ナセル部３の底面等に流れた液体は、液体吸着パッド１４に吸着される。液体吸着パッド１４には、光ファイバ２１が配置されているので、光学式液体検知器２０は、光ファイバ２１に付着した液体を識別する。
したがって、制御装置は、ハブ部２の内部において油漏れ等が発生した場合と同様に、各種アラームを出したり、風車の駆動を停止したりするなどの処置を行う。
【００４３】
風車１は、ハブ部２又はナセル部３の内部に、光ファイバ２１からなる検出素子を有する光学式液体検知器２０を配置したので、油や不凍液等の液体漏れや、雨水等の浸入を検出することができる。
【００４４】
光学式液体検知器２０は、光ファイバ２１に付着した液体を識別できるので、検出した液体の種類や状態に応じて、適切な対応をとることが可能となる。
【００４５】
光学式液体検知器２０の光ファイバ２１を、ブレード用開口部６及びノーズキャップ用開口部８の周縁部に配置したので、ハブ部２の内部における油漏れを検出できる。油が外部に漏れ出るのを事前に検知することができるので、風力発電設備周辺の環境が汚染されるのを防止することができる。
【００４６】
ブレード用開口部６やノーズキャップ用開口部８の周縁部に液体吸着パッド１４を設け、この液体吸着パッド１４に添って光ファイバ２１を設けた。このため、ハブ部２の内部に漏れ出た油を液体吸着パッド１４で吸着して外部への漏出を防止できる。また、光学式液体検知器２０の光ファイバ２１により油漏れを確実に検出できる。
【００４７】
なお、本発明は、上述した実施形態に限定されることなく、本発明の主旨を逸脱しない範囲で種々の変更が可能である。
【００４８】
図７は、光学式液体検知器の他の形態（光学式液体検知器４０）を示す斜視図である。
光学式液体検知器４０は、高感度型無水防爆センサである光学式液体検知器２０よりも小型軽量のセンサである。光学式液体検知器４０は、検出素子である光ファイバ２１を有する。光ファイバ２１は、光学式液体検知器４０の本体変換器４１の底部に配置したり、本体変換器４１から引き出したりできる。
上述した実施形態において、光学式液体検知器２０に代えて光学式液体検知器４０を用いてもよい。
光学式液体検知器４０は、小型軽量であるため、ハブ部２又はナセル部３の内部の任意の場所に設置できる。光学式液体検知器４０は、ハブ部２やナセル部３の壁面や底面に対して、接着テープや保持バンド、保持金具等によって固定される。また、光学式液体検知器４０の内部に磁石を配置することにより、ハブ部２やナセル部３に存在する鉄鋼等に固定することができる。
【００４９】
上述した実施形態では、光ファイバ２１を単にスリット入りの樹脂チューブ内に収容した状態で用いているが、これに限らない。光ファイバ２１に液体吸着シートを巻き付けて用いるようにしてもよい。液体吸着シートは、例えばポリプロピレン不織布などによって形成される。
これにより、ハブ部２の内部において油漏れが起こり、漏れた油がブレード用開口部６やノーズキャップ用開口部８に流れた場合に、この油を油吸収シートで吸着してブレード用開口部６やノーズキャップ用開口部８から漏れ出るのを防止できる。また、光学式液体検知器２０の光ファイバ２１で油を確実に検知することができる。
【００５０】
上述した実施形態では、ハブ部２に４台の光学式液体検知器２０を設置し、それぞれの光ファイバ２１を三つのブレード用開口部６とノーズキャップ用開口部８のそれぞれに対応させて配置したが、これに限らない。
光学式液体検知器２０を１台のみ設置し、その光ファイバ２１を三つのブレード用開口部６とノーズキャップ用開口部８のそれぞれの周縁部に這わせて配置することにようにしてもよい。
ノーズキャップ用開口部８に対して光学式液体検知器２０を１台設置し、三つのブレード用開口部６に対しては１台の光学式液体検知器２０を設置してその光ファイバ２１を三つのブレード用開口部６にそれぞれに配置してもよい。
【００５１】
光学式液体検知器２０，４０が識別できる液体は、油、不凍液、雨水に限らない。様々な液体を検出できる。例えば、海水、エタノール、シリコーン油、ガソリン、軽油、灯油、重油、アスファルト等が含まれる。各種混合液体も含まれる。
【００５２】
光ファイバ２１は、アクリル樹脂（ＰＭＭＡ）により形成されたファイバ素線を備えるものであってもよい。
【符号の説明】
【００５３】
１  風車    ２  ハブ部    ３  ナセル部    ５  ブレード    ６  ブレード用開口部    ７  ノーズキャップ    ８  ノーズキャップ用開口部    ９  主軸    １２  発電機    １４  液体吸着パッド    ２０  光学式液体検知器    ２１  光ファイバ（検出素子）    ４０  光学式液体検知器    
【図１】
2014037824.tif 000003
【図２】
2014037824.tif 000004
【図３】
2014037824.tif 000005
【図４】
2014037824.tif 000006
【図５】
2014037824.tif 000007
【図６】
2014037824.tif 000008
【図７】
2014037824.tif 000009